(57)【要約】【課題】  微妙なｐＨの調整を必要とせず、効果的に水溶性高分子化合物の水への溶解時の作業性を改善する方法を提供する。【解決手段】  セルロース、多糖類及びこれらの誘導体等の水溶性高分子化合物の表面を、多価アルコールと複数のホルミル基を有する化合物との反応により得られる環状アセタール化合物で処理し、該水溶性高分子化合物の水への溶解性を改善する表面処理方法。本発明に係る表面処理方法によれば、水溶性高分子を水中に投入した時継粉（ママコ）の発生を効果的に抑制することができる。【特許請求の範囲】
【請求項１】
多価アルコールと複数のホルミル基を有する化合物とを反応させることにより得られる環状アセタール化合物により表面を処理したことを特徴とする水酸基を有する水溶性高分子化合物。
【請求項２】
多価アルコールが単糖類である請求項１に記載の水酸基を有する水溶性高分子化合物。
【請求項３】
複数のホルミル基を有する化合物がジアルデヒドである請求項１又は２に記載の水酸基を有する水溶性高分子化合物。
【請求項４】
水酸基を有する水溶性高分子化合物がセルロース、多糖類又はそれらの誘導体である請求項１〜３のいずれか１項に記載の水溶性高分子化合物。
【請求項５】
請求項１〜４のいずれか１項に記載の水酸基を有する水溶性高分子化合物を含有する化粧料組成物。
【請求項６】
水酸基を有する水溶性高分子化合物と、多価アルコールと複数のホルミル基を有する化合物とを反応させることにより得られる環状アセタール化合物とを反応させて可逆的架橋構造を形成することを特徴とする水溶性高分子化合物の製造方法。
【発明の詳細な説明】
【技術分野】
【０００１】
本発明は、多価アルコールと複数のホルミル基を有する化合物とを反応させることにより得られる環状アセタール化合物で表面を処理することにより水への溶解性を改善した水酸基を有する水溶性高分子化合物に関するものである。
【背景技術】
【０００２】
一般に、水溶性高分子化合物としてセルロース、多糖類及びこれらの誘導体は、水に対する分散性が悪いため水中に投入した時継粉（ママコ）になり易く、このため水に溶解する場合には充分撹拌しながら少量ずつ添加しなければならないという欠点がある。従来この欠点を改善する方法として、水溶性高分子化合物に種々の化合物が使用されてきた。
【０００３】
例えば、特許文献１には水酸基を含有する水溶性高分子物質の水への溶解法として、水もしくは水性アルカリに水酸基を含有する高分子物質をアルデヒドで前処理することで塊状化を防止できると明記されている。高分子物質としてＨＥＣ等のセルロース誘導体／澱粉誘導体／ＰＶＡ等が挙げられている。
【０００４】
また、特許文献２には、微粉砕した水溶性重合体の表面処理法としてセルロースエーテル／澱粉／変性澱粉又は合成重合体の粉末からなりホルムアルデヒド又は脂肪族ジアルデヒドと酸性触媒を含む溶液で噴霧被覆し、その表面に可逆的アセタール架橋を結合し、ポリオキシエチレンソルビタン脂肪酸エステルを含んでいる自由流動性の水溶性粉末。非イオン重合体及び陰イオン重合体が書かれているが、非イオン重合体中にはＰＶＡ／ＰＥＧ／ＨＥＣ等のセルロース誘導体／澱粉誘導体等が明記されている。
【０００５】
特許文献３には高分子水溶性物質をグリオキサール水和物のオリゴマー型を使用し、微粉末状の物質に０．２〜５％乾燥混合し混合物を３０分〜１２時間５０〜１５０℃に加熱する事を特徴とし、腐食又は変色を解決出来ると明記されＨＥＣ等が含まれている。
【０００６】
特許文献４には、グリオキザールを用いてセルロースが持つ水酸基とヘミアセタール結合させて架橋反応させ、水溶性セルロースエーテルを容易に水に分散湿潤させる事が可能となるが、ＨＥＣ等の水溶性セルロースエーテルとアルコキシシランとを反応させ可逆的架橋構造を形成すると共にジオクチルスルフォコハク酸塩を添加する事を特徴とする水溶性セルロースエーテルの製造方法が提案されている。
【０００７】
特許文献５にはキサンタンガム誘導体として、キサンタンガムに架橋剤を反応後親水化剤を反応させるが、本文中に微小架橋セルロース粒子の好ましい製造方法として、セルロース繊維を架橋剤により架橋させた後微粒子化させる事を特徴とする製造方法が提案されている。
【０００８】
特許文献６には、新規多糖類誘導体その製造方法及びそれを含有する化粧料として、多糖類又はその誘導体のヒドロキシル基の水素原子の一部又は全てがＣ１０〜４３のアルキル基（オキシカルボニル基又はエーテル基が挿入されてもよい）及びＣ１〜５のスルホアルキル基（ヒドロキシル基が置換されてもよい）及び架橋剤で置換された新規多糖誘導体が提案されている。
【０００９】
また、特許文献７には、生分解性成形品を製造するためのデンプンを主原料とする熱可塑性混合物に関し、化学的変性澱粉／澱粉誘導体・可塑剤ホスフェートを混合した熱可塑性混合物に関し架橋によって熱可塑性挙動を改善する場合にはグリオキサール等のアルデヒドを原料とする二官能性分子・ジイソシアネート・エポキシド等を使用するとの記述がある。
【００１０】
特許文献８には、粒状水溶性セルロースエーテル及びその製造方法として、架橋剤・酸及び湿潤剤が添加され、或る粒度分布を持つ粒状水溶性セルロースエーテルを製造する方法で、ＨＥＣ等の水溶性セルロースエーテルをゲル化する工程で架橋剤及び酸を添加しゲル化し乾燥後湿潤剤を添加し粉砕後粒状化する方法が提案され、架橋剤としては、グリオキサール等のアルデヒド及びシラン・アルコキシシラン類が明記されている。
【００１１】
特許文献９には、セルロースエーテル配合物及びその製造方法として、添加剤無水セルロースエーテルを基礎とする澱粉／澱粉エーテル／グアール／グアールエーテル及びキサンタンガム水溶液又は粉末に水を添加しながらポリアクリルアミド水溶液を湿潤させたセルロースエーテルの製造方法で必要に応じ、グリオキサール等の添加剤を添加する事が出来ると明記されている。
【特許文献１】特公昭４２−６６７４号公報（第１−３頁）
【特許文献２】特公昭４７−１６０１号公報（第１−６頁）
【特許文献３】特公昭５９−４５６８５号公報（第１−２頁）
【特許文献４】特開平８−１８３８０２号公報（第１−４頁）
【特許文献５】特開平９−３１０１号公報（第３頁）
【特許文献６】特開平１１−１２３０４号公報（第６頁）
【特許文献７】特表２００１−５０９５２５号公報（第６頁）
【特許文献８】特開２０００−６３５６５号公報（第３頁）
【特許文献９】特開２００４−２３８６２９号公報（第６頁）
【発明の開示】
【発明が解決しようとする課題】
【００１２】
しかしながら、上記の先行文献等に記載された方法により溶解性を調整した場合、微妙なｐＨの調整を必要とする上、黄着色が生じることもあって改善の必要があった。本発明は、このような問題点を解決し、かつ効果的に水溶性高分子化合物の水への溶解時の作業性を改善する方法を提供することを目的とする。
【課題を解決するための手段】
【００１３】
本発明者らは、上記課題を解決するために鋭意研究を重ねた結果、セルロース、多糖類及びこれらの誘導体等の水溶性高分子化合物の表面を、多価アルコールと複数のホルミル基を有する化合物との反応により得られる環状アセタール化合物で処理することによって該水溶性高分子化合物の水への溶解時のママコの発生を抑制する方法を見出し、本発明を完成するに至った。
【００１４】
すなわち本発明は、多価アルコールと複数のホルミル基を有する化合物とを反応させることにより得られる環状アセタール化合物により表面を処理したことを特徴とする水酸基を有する水溶性高分子化合物に関する。
本発明はまた、水酸基を有する水溶性高分子化合物と、多価アルコールと複数のホルミル基を有する化合物とを反応させることにより得られる環状アセタール化合物とを反応させて可逆的架橋構造を形成することを特徴とする水溶性高分子化合物の製造方法にも関する。
【発明の効果】
【００１５】
多価アルコールと複数のホルミル基を有する化合物とを反応させることにより得られる環状アセタール化合物により、セルロース、多糖類及びこれらの誘導体等の水酸基を有する水溶性高分子化合物の表面を処理することで、該水溶性高分子化合物の水への溶解時の作業性を改善することができる。
【発明を実施するための最良の形態】
【００１６】
以下本発明を詳細に説明する。
本発明に係る環状アセタール化合物は、多価アルコールと複数のホルミル基を有する化合物の反応物である。多価アルコールとしては、エチレングリコール、グリセリン、ペンタエリスリトール、ソルビトールなどの多価アルコール類、グルコース、フルクトース、ガラクトース、キシロース、マンノース等の単糖類を挙げることができる。複数のホルミル基を有する化合物としては、グリオキザール、マロンアルデヒド、グルタルアルデヒド、ヘプタンジアール、アジピンアルデヒド、サクシンアルデヒド等のジアルデヒドを挙げることができる。
【００１７】
上記環状アセタール化合物は、多価アルコールの水酸基とジアルデヒド等のホルミル基とを公知の方法により脱水反応させて得ることができる。一般には、数種の環状アセタール化合物の混合物として得られるものであり、かかる化合物を含む市販品としては、ＯＭＮＯＶＡ  Solutions  Inc．（米国）から販売されている無水グルコース１単位：グリオキサール２単位からなるポリマーである「セクアレッツ７５５」（商標）が挙げられる。
【００１８】
表面処理の対象となる水酸基を有する水溶性高分子化合物としては、セルロース、多糖類及びこれらの誘導体が挙げられる。セルロース誘導体としては、ヒドロキシエチルセルロース、メチルセロース、エチルセルロース、ヒドロキシプロピルセルロース、ヒドロキシエチルメチルセロース、ヒドロキシプロピルメチルセルロース、ヒドロキシエチルエチルセルロース、カチオン化セロース、カチオン化ヒドロキシセルロース、カルボキシメチルセルロース、メチルカルボキシメチルセルロース等であり、多糖類及びこれらの誘導体としては、グァーガム、ローカストビーンガム、フェヌクリークガム、タラガム、タマリンドガム、サイリウムシードガム、クインシードガム、カラギーナン、アルギン酸塩、寒天、タラカントガム、アラビアガム、カラヤガム、スターチ、ヒドロシシエチルグァーガム、ヒドロキシエチルスターチ、メチルグァーガム、メチルスターチ、エチルグァーガム、ヒドロキシプロピルグァーガム、ヒドロキシプロピルスターチ、ヒドロキシエチルメチルグァーガム、ヒドロキシエチルメチルスターチ、ヒドキシプロピルメチルグァーガム、アセチル化又はアルキル化スターチ、ヒドロキシプロピルメチルスターチ、デキストリン、デキストラン、カチオン化グァーガム、カチオン化ローカストビーンガム、カチオン化フェヌクリークガム、カチオン化タラガム、カチオン化タラガム、カチオン化タマリンドガム、カチオン化サイリウムシードガム、カチオン化アルギン酸塩、カチオン化タラカントガム、カチオン化スターチが例示できる。
【００１９】
本発明に係る環状アセタール化合物の添加量は特には限定されないが、水酸基を有する水溶性高分子化合物１００重量部に対し０．０５〜１．０重量部が好ましい。０．０５重量部未満では殆ど効果が見られず、１．０重量部を超えると水溶液を調整する時の溶解時間がかかりすぎエネルギーの損失となる。
【００２０】
環状アセタール化合物の添加は、水溶性高分子化合物がセルロースや多糖類の場合には、パルプ、種子粘物質、海藻抽出物、樹脂抽出物から抽出精製乾燥する際の精製もしくは乾燥する段階で添加することが好ましい。この時の反応温度は４０℃〜１２０℃、反応時間は３０分〜１２０分の範囲が好ましい。一方、水溶性高分子化合物がセルロースや多糖類の誘導体の場合には、アルコキシル化、カチオン化等の反応後精製乾燥する段階で添加することが好ましい。添加条件はセルロース及び多糖類の場合と同様でよい。
【００２１】
本発明に係る方法で製造した水溶性高分子化合物は、シャンプー、リンス、コンディショナー、ボディーソープその他の化粧料組成物の一成分として好適に使用することができる。
【実施例】
【００２２】
以下、本発明の実施例を比較例と比較して説明するが、本発明は特にこれらに限定されるものではない。
【００２３】
なお、以下の実施例及び比較例においては、水溶性高分子化合物に本発明品及びメチルグリオキザール（β−Chem,Inc製）、テレフタルアルデヒド（９０％品）、グルタルアルデヒド水溶液（２５％）を一定量添加し溶解時間を測定した。
【００２４】
〔実施例１〕
ヒドロキシエチルセルロース１６０ｇを、８０容量％のイソプロパノール水溶液１００７ｍｌに分散させ、４８重量％の水酸化ナトリウム水溶液８．６ｇを添加した。次に有効成分が４６．６ｇとなるようグリシジルトリメチルアンモニウムクロライド水溶液を加え、加温し５０℃で３時間反応させる。反応終了後３５％塩酸１６．６ｇ（仕込み水酸化ナトリウム１．５４倍モル）を８０容量％のイソプロパノール水溶液１５０ｍｌで希釈し、中和に使用した。室温で１時間中和後、メタノール３００ｍｌに反応液を注ぎ、反応生成物を沈殿させ、濾別した。得られた沈殿物をメタノール水溶液にて洗浄した後、ＯＭＮＯＶＡSolutions  Inc．から販売されているセクアレッツ７５５（５５％品）を１．８０ｇ添加し、９０分混合した後、反応生成物を減圧下カチオン化セロースの品温が５０℃となる迄で乾燥した。このようにして得られたカチオンセルロースの窒素含有率は１．６７重量％であった。このサンプルを本発明品１とした。
【００２５】
〔実施例２〕
ウッドパルプ（重合度９００、水分１０％）１８０ｇを１５％水酸化ナトリウム水溶液中に２０℃１時間浸漬し、約２．５倍に圧搾して４００ｇのアルカリセルロースを得た。得られたアルカリセルロースの組成はセルロース分３５％、水酸化ナトリウム分１３％、水分５２％であった。次にアルカリセルロースを加圧ニーダーに仕込み、３０℃以下で約１時間解砕した後、ジオキサン１０００ｇ（反応系のジオキサン：水＝８２．８：１７．２、セルロース濃度１０％になる）を加え、反応容器中の空気を窒素ガスで置換した後、エチレンオキサイド９５ｇ（グルコース単位当たり２．５モル分）を一括添加し、４０〜４５℃で６時間反応させた。反応終了後反応物を酢酸で中和し、更に７５％イソプロパノール溶液で２回洗浄し、ＯＭＮＯＶＡSolutions  Inc．から販売されているセクアレッツ７５５（５５％品）を２．０２ｇ添加し、９０分混合した後、減圧下ヒドキシエチルセルロースの品温が５０℃となる迄で乾燥した。得られたヒドロキシエチルセルロースの平均付加モル数（Ｍ．Ｓ．）は１．８モルであった。このサンプルを本発明品２とした。
【００２６】
〔実施例３〕
セクアレッツ７５５（５５％品）の添加量を０．９０ｇとした以外は実施例１と同様にしてサンプルを調整した。このサンプルを本発明品３とした。
【００２７】
〔実施例４〕
セクアレッツ７５５（５５％品）の添加量を０．６０ｇとした以外は実施例１と同様にしてサンプルを調整した。このサンプルを本発明品４とした。
【００２８】
〔比較例１〕
セクアレッツ７５５のかわりにメチルグリオキザール（２８．２％品）を３．５０ｇ添加した以外は実施例１と同様にしてサンプルを調整した。このサンプルを比較品１とした。
【００２９】
〔比較例２〕
セクアレッツ７５５のかわりに、テレフタルアルドヒド（９０．０％品）１．１０ｇ添加した以外は実施例１と同様にしてサンプルを調整した。このサンプルを比較品２とした。
【００３０】
〔比較例３〕
セクアレッツ７５５のかわりに、グルタルアルドヒド（２５．０％品）３．９６ｇを添加した以外は実施例１と同様にしてサンプルを調整した。このサンプルを比較品３とした。
【００３１】
〔評価方法〕
２００ｍＬのガラス瓶にイオン交換水１９８ｇを採取して２０℃に保温し、これに本発明品又は比較品を２．０ｇ投入してＢＭ型回転粘度計によりローターＮｏ２／１２ｒｐｍで経時での粘度が上昇し始める時間を測定し評価した。この時間を水和時間とする。時間が短いと水溶液を調整する時にママコが発生し易い。逆に時間が長すぎると水溶液を調整する時の溶解時間がかかりすぎエネルギーの損失となる。
【００３２】
〔評価結果〕
【表１】
2006335836.tif 000002
上記評価結果より、本発明に係る環状アセタール化合物を水溶性高分子の表面処理物質として使用した場合、水溶性高分子を水に溶解する場合ママコができにくい水和時間を示した。また、本発明の方法はｐＨの微妙な調整も必要とせず、水溶性高分子の黄着色もみられなかった。従って、本発明に係る環状アセタール化合物は水溶性高分子の表面処理物質として適した物質であることが確認された。